(57)【要約】【課題】  流水プールの吸水口における水の流れを遅くすることで泳ぐ人が吸い込まれる恐れがなく安全に利用することができる流水プールを提供する。【解決手段】  一方向に水の流れを起こす流水プール１と連通させて設けてなる貯水槽３と、流水プールの吸水口と前記貯水槽の給水口１２を繋いで流水プールと貯水槽を同水位とする通水管２と、貯水槽と粒子プールを繋ぎポンプ等の送水手段６を用いて貯水槽の水を流水プールに設けた噴出口５から噴出して水流を起こすための送水管４を備え、前記通水管は流水プールの標準設定水位と同じ高さの前記貯水槽の水面位置に給水口を設けて流水プールから溢れる水を貯水槽に送ることにより流水プールの吸水口における水の流れを遅くする。【選択図】図１
2009052205.tif 000002
【特許請求の範囲】
【請求項１】
一方向に水の流れを起こす流水プール、該流水プールに並設された貯水槽、前記流水プールの吸水口より吸水し前記貯水槽に給水する通水管、送水手段を用いて前記貯水槽の水を前記流水プールの噴出口より噴出し水流を起こすための送水管とからなり、前記通水管の貯水槽への給水口は前記流水プールの標準設定水位と同じ高さの前記貯水槽の水面位置に設定することにより前記流水プールの水位が標準設定水位を超えた分の水は前記流水プールから前記貯水槽へと給水され、流水プールの吸水口における水の流れを遅くすることを特徴とする流水プール。
【請求項２】
流水プールの水を貯水槽に送る吸水口及び通水管は１つの貯水槽に複数組備えてなることを特徴とする請求項１記載の流水プール。
【請求項３】
流水プールの吸水口はプールの底部に設けることを特徴とする請求項１又は２記載の流水プール。
【請求項４】
流水プールの吸水口はプールの底部の全幅に設けた凹溝内に設けることを特徴とする請求項１乃至３の何れかに記載の流水プール。
【請求項５】
凹溝には通水部を有する金属製の蓋体を被蓋してなることを特徴とする請求項４記載の流水プール。
【請求項６】
通水管は流水プールの吸水口に連通する部分の管径を貯水槽の給水口に連通する他の部分の管径に比較して大径とすることを特徴とする請求項１乃至４の何れかに記載の流水プール。
【請求項７】
流水プールの吸水口より吸水して貯水槽に給水し、送水手段を用いて貯水槽の水を流水プールの噴出口より噴出する水循環機構は流水プールに複数個所設置してなることを特徴とする請求項１記載の流水プール。
【発明の詳細な説明】
【技術分野】
【０００１】
本発明は、プールの吸水口から取り入れた水を噴出口から噴出して一方向の水の流れを起こす流水プールに係り、特にプールの吸水口における水を吸い込む勢いで人が吸い込まれる事故をなくして安全に楽しむことができる流水プールに関する。
【背景技術】
【０００２】
従来、水を溜めただけの一般的な遊泳プールと異なり、輪環状に形成したプールの水を一方向に流れるようにする、いわゆる流れるプール、流水プールが存在している。この流水プールは、泳がなくとも水に浮かんでいるだけで水の流れに乗って巡回することができるので、夏の遊戯施設として大人、子どもを問わず人気となっている。
【特許文献１】特開平７−７１１２４号公報
【発明の開示】
【発明が解決しようとする課題】
【０００３】
しかしながら、従来の流水プールにあっては、吸水口に人が吸い込まれる事故が発生していることから、その対策が検討されている。その流水プールの構造は、水の流れを起こすためにジェット水流を用いており、そのためにプールの水を一旦取り入れ、これをプールの噴出口から勢いよく噴出させて一方向の水の流れを作っている。このプールの吸水口には、網・柵等の囲いを設けることで人が吸い込まれることを防ごうとしているものの、吸水口近傍の水の流れは速くて勢いがあることから、子どもがそこに吸い付けられてしまう恐れがあった。
【０００４】
そこで本発明は、吸水口における水の流れを遅くすることで泳ぐ人が吸い込まれる恐れがなく安全に利用することができる流水プールを提供することを目的とする。
【課題を解決するための手段】
【０００５】
前述の目的を達成するため、本発明の流水プールは、一方向に水の流れを起こす流水プール、該流水プールに並設された貯水槽、前記流水プールの吸水口より吸水し前記貯水槽に給水する通水管、送水手段を用いて前記貯水槽の水を前記流水プールの噴出口より噴出し水流を起こすための送水管とからなり、前記通水管の貯水槽への給水口は前記流水プールの標準設定水位と同じ高さの前記貯水槽の水面位置に設定することにより前記流水プールの水位が標準設定水位を超えた分の水は前記流水プールから前記貯水槽へと給水され、流水プールの吸水口における水の流れを遅くすることを特徴とするものである。
【０００６】
また本発明は、流水プールの水を貯水槽に送る吸水口及び通水管は１つの貯水槽に複数組備えてなることを特徴とするものである。
【０００７】
また本発明は、流水プールの吸水口はプールの底部に設けることを特徴とするものである。
【０００８】
また本発明は、流水プールの吸水口はプールの底部の全幅に設けた凹溝内に設けることを特徴とするとするものである。
【０００９】
また本発明は、凹溝には通水部を有する金属製の蓋体を被蓋してなることを特徴とするものである。
【００１０】
また本発明は、通水管は流水プールの吸水口に連通する部分の管径を貯水槽の給水口に連通する他の部分の管径に比較して大径とすることを特徴とするものである。
【００１１】
また、流水プールの吸水口より吸水し貯水槽に給水し、送水手段を用いて貯水槽の水を流水プールの噴出口より噴出する水循環機構は流水プールに複数個所設置してなることを特徴とするものである。
【発明の効果】
【００１２】
本発明の流水プールによれば、一方向に水の流れを起こす流水プール、該流水プールに並設された貯水槽、前記流水プールの吸水口より吸水し前記貯水槽に給水する通水管、送水手段を用いて前記貯水槽の水を前記流水プールの噴出口より噴出し水流を起こすための送水管とからなり、前記通水管の貯水槽への給水口は前記流水プールの標準設定水位と同じ高さの前記貯水槽の水面位置に設定することにより前記流水プールの水位が標準設定水位を超えた分の水は前記流水プールから前記貯水槽へと給水されることで、噴出口から送出する水が流水プールの水位を上昇させ、これが標準設定水位を越えて給水口から貯水槽に溢れ出る量だけが吸水口から吸い込まれるという、水の移動の時間遅れと水流の平均化作用により、流水プールの吸水口から吸い込まれる水の流速を緩やかにすることができ、これにより吸水口に子どもが吸い込まれる等の事故を防ぐことができる。
【００１３】
また、流水プールの水を貯水槽に送る吸水口及び通水管は１つの貯水槽に複数組備えてなることで、各吸水口における水の流速が、一組の場合と比較して組数分の一に減少し、これにより吸水口に子ども等が吸い込まれる恐れをさらに減らすことができる。
【００１４】
また、流水プールの吸水口はプールの底部に設けることで、プールの底部に溜まるゴミ等も排出することができる。
【００１５】
また、流水プールの吸水口はプールの底部の全幅に設けた凹溝内に設けることで、凹溝上部での水の流速は、吸水口における水の流速と比較してその面積に反比例して小さくなり、凹溝上部に蓋を設けた場合にその蓋部分に吸い込まれる恐れはさらに一層減少する。
【００１６】
また、凹溝には通水部を有する金属製の蓋体を被蓋してなることで、重量のある金属製の蓋体であれば万が一蓋体を固定するボルト等が破損した場合でも、蓋体は底部に位置していることからそれ以上に落下することなく吸水口を安全に被蓋し続けることができる。
【００１７】
また、通水管は流水プールの吸水口に連通する部分の管径を貯水槽の給水口に連通する他の部分の管径に比較して大径とすることで、吸水口から吸い込まれる水の流速をさらに一層緩やかにすることができ、より安全性が向上する。
【００１８】
また、流水プールの吸水口より吸水し貯水槽に給水し、送水手段を用いて貯水槽の水を流水プールの噴出口より噴出する水循環機構は流水プールに複数個所設置してなることで、必要な水流を得るための１個所あたりの水の噴出量を少なくすることができ、これにより各吸水口における水を吸い込む速さを更に緩やかにすることができる。
【発明を実施するための最良の形態】
【００１９】
図１〜図３は、本発明の水循環機構を備えた流水プールを示しており、輪環状に形成され一方向に水の流れを起こすべく水を溜めた流水プール１に対して、この流水プール１と同水位となるように通水管２で連通し流水プール１の近傍に設置された貯水槽３（本実施例にあっては３個）と、貯水槽３に溜まる水を、送水管４を通じて流水プール１の噴出口５から噴出して水流を起こすためのポンプ等の送水手段６とからなる水循環機構７を設置して構成されている。８は浄化装置であり、流水プール１内のゴミ等を濾過して浄化するものである。
【００２０】
流水プール１の底部には、図３に示すごとく、水の流れに直交する方向にプールの全幅に形成された凹溝９が１つの貯水槽３ごとに本実施例では３個所形成されており、その各凹溝９の中央には吸水口１０が設けられるとともに、吸水口１０に人や物品が吸い込まれないように凹溝９全体を覆って通水部を有する金属製の重量のある蓋体１１がボルト等の固定手段を用いて固定されている。そして前記通水管２は、この各吸水口１０と、貯水槽３において標準に設定されている水位、すなわち流水プール１における標準の水位の高さに設けた給水口１２とを繋いでいて、その経路にはポンプ等の送水手段を設けることなく、流水プール１と貯水槽３の水位の差だけで水が流れる構造となっている。そして、この通水管２における吸水口１０に連通する部分には、その管径を、給水口１２に連通する他の部分の管径と比較して大径とした大径部２ａを形成している。
【００２１】
このような構成からなる本発明の流水プール１において、貯水槽３の水は、送水管４を通じて送水手段６により流水プール１へと強制的に送り出されていることから、送水手段６が駆動しているときは流水プール１の水位が貯水槽３の水位よりも高くなっていて、さらに流水プール１の水量が増してその水位が給水口１２の高さを超えると、その分が流水プール１の吸水口１０から通水管２を流れて給水口１２から貯水槽３へと溢れ出ることとなる（ちなみに、送水手段６が停止すると流水プール１と貯水槽３とはやがて同水位となる）。そして、その溢れ出た分の水量が、流水プール１の底部の吸水口１０から吸い込まれていくことから、ポンプ等で強制的に吸引する場合と異なり吸水口１０における流速は緩やかとなるとともに、前記通水管２の大径部２ａにあっては、連通管３の他の部分よりも管径が大きい分だけ流速も緩やかになり、さらに吸水口１０から吸い込む水量を凹溝９の表面全体から吸い込むことで凹溝９を覆う蓋体１１部分での水の流速はさらに一層緩やかになることから、人１３が吸い付けられる恐れは更に減少するものである。
【００２２】
尚、貯水槽３の水を流水プール１へ噴出させる送水手段６を間欠的に駆動した場合でも、流水プール１の水位上昇による流水プール１の吸水口１０から貯水槽３への水の流れは、プールの容積に対する水量変化率の大きさや水の流路の抵抗により、その流速を略一定に保つことができる。
【００２３】
図２は、本発明の水循環機構７を輪環状の流水プール１に一例として３個所配置した状態を示しており、適宜な間隔を設けて複数個所に水循環機構７を設けて水を噴出させることで、必要な水流を得るための１個所あたりの水の噴出量を少なくすることができ、これにより各吸水口１０における水を吸い込む速さを緩やかにすることができる。
【００２４】
尚、上述した実施例では、流水プール１に水循環機構７を３個所設けた場合について説明したがこれに限定されることはなく、さらに１つの貯水槽３に凹溝・吸水口・通水管を３組設けた場合について説明したが、これについてもこの数に限定されるものではない。
【図面の簡単な説明】
【００２５】
【図１】本発明の流水プールを示す側断面説明図である。
【図２】本発明の流水プールを示す説明図である。
【図３】本発明の流水プールを示す縦断面説明図である。
【符号の説明】
【００２６】
１  流水プール
２  通水管
２ａ  大径部
３  貯水槽
４  送水管
５  噴出口
６  送水手段
７  水循環機構
８  浄化装置
９  凹溝
１０  吸水口
１１  蓋体
１２  給水口
１３  人
【図１】
2009052205.tif 000003
【図２】
2009052205.tif 000004
【図３】
2009052205.tif 000005